(57)【要約】【課題】  本発明の目的は、音声の記録中に操作部材を操作しても、意図せず操作音が記録されてしまう可能性を低減することである。【解決手段】  所定の操作部材への操作に応じて設定値が変更される機能として、第１の機能と、設定可能な設定値候補が前記第１の機能よりも多い第２の機能と、を含む複数の機能からいずれかの機能を設定可能な設定手段と、前記第１の機能に設定されている場合には、前記所定の操作部材が第１の量、操作されたことに応じて前記第１の機能の設定値を変更し、前記第２の機能に設定されている場合には、前記所定の操作部材が前記第１の量よりも多い第２の量、操作されたことに応じて前記第２の機能の設定値を変更し、前記第２の量よりも少ない操作がされても前記第２の機能の設定値を変更しないように制御する制御手段とを有することを特徴とする。【選択図】  図３
2018056827.tif 000002
【特許請求の範囲】
【請求項１】
所定の操作部材への操作に応じて設定値が変更される機能として、第１の機能と、設定可能な設定値候補が前記第１の機能よりも多い第２の機能と、を含む複数の機能からいずれかの機能を設定可能な設定手段と、
前記第１の機能に設定されている場合には、前記所定の操作部材が第１の量、操作されたことに応じて前記第１の機能の設定値を変更し、前記第２の機能に設定されている場合には、前記所定の操作部材が前記第１の量よりも多い第２の量、操作されたことに応じて前記第２の機能の設定値を変更し、前記第２の量よりも少ない操作がされても前記第２の機能の設定値を変更しないように制御する制御手段とを有することを特徴とする電子機器。
【請求項２】
前記第２の機能は、撮像の露出に関する設定値が段刻みで設定値が変更される機能であることを特徴とする請求項１に記載の電子機器。
【請求項３】
前記第２の機能は、撮像倍率を変更する機能であるステップズームであり、前記第１の機能は前記ステップズームよりも変更可能な撮像倍率の数が多い機能であるスムーズズームであり、現在の撮像倍率が所定の倍率であり、前記ステップズームが前記設定手段により設定されたときに前記所定の操作部材への一定量の操作に応じて変更される撮像倍率は、現在の撮像倍率が前記所定の倍率であり、前記スムーズズームが前記設定手段により設定されたときに前記所定の操作部材への前記一定量の操作に応じて変更される撮像倍率よりも大きく変更されることを特徴とする請求項１に記載の電子機器。
【請求項４】
前記第２の機能は、撮像に関するシャッター速度または露出補正の設定項目の少なくともいずれかであり、前記第１の機能は撮像に関する絞りの設定項目であることを特徴とする請求項１乃至３の何れか１項に記載の電子機器。
【請求項５】
前記第１の機能には、ＭＦ、スムーズズームの何れかが含まれていることを特徴とする請求項１乃至４の何れか１項に記載の電子機器。
【請求項６】
前記第２の機能には、ＩＳＯ感度、ＷＢ補正、ステップズームの何れかが含まれていることを特徴とする請求項１乃至５の何れか１項に記載の電子機器。
【請求項７】
前記操作部材は、所定の操作量毎にクリック感のある第１の操作感と、クリック感のない第２の操作感とから操作感を切り替え可能な切替手段とをさらに有し、
前記制御手段は、前記第２の操作感に切り替えられた際に前記制御を行うように制御することを特徴とする請求項１に記載の電子機器。
【請求項８】
前記制御手段は、前記切替手段により前記第１の操作感に切り替えられた場合には、前記第１の機能でも前記第２の機能でも前記所定の操作部材が前記第２の量、操作されたことに応じて、設定値を変更するように制御する請求項７に記載の電子機器。
【請求項９】
前記切替手段により前記第１の操作感に切り替えられた場合に、前記所定の操作部材が前記第２の量、操作されると操作音が発音し、前記切替手段により前記第２の操作感に切り替えられた場合に、前記所定の操作部材が前記第１の量または前記第２の量、操作されても前記第１の操作感の時に発生する操作音よりも小さい操作音となることを特徴とする請求項７または８に記載の電子機器。
【請求項１０】
前記所定の操作量である前記第２の量はことを特徴とする請求項７乃至９の何れか１項に記載の電子機器。
【請求項１１】
所定の操作部材に操作感を切り替える切替手段であって、前記所定の操作部材への所定の操作量毎にクリック感のある第１の操作感と、クリック感のない第２の操作感とから操作感を切り替え可能な切替手段と、
前記所定の操作部材への所定の操作に応じて、設定された第１の機能の設定値を変更するように制御する制御手段であって、
前記切替手段により操作感が前記第１の操作感に切り替えられている場合には、前記所定の操作部材が第３の量、操作されたことに応じて前記第１の機能の設定値を変更し、前記第３の量よりも小さい量、操作されても前記第１の機能の設定値を変更せず、
前記切替手段により操作感が前記第２の操作感に切り替えられている場合には、前記所定の操作部材が前記第３の量よりも少ない第４の量、操作されたことに応じて前記第１の機能の設定値を変更するように制御する制御手段とを有することを特徴とする電子機器。
【請求項１２】
前記第１の機能は、撮像の露出に関する設定が段刻みに設定された設定値候補から設定値を設定可能な機能であり、
表示部には、一定間隔毎に表示されたそれぞれの目盛りと各設定値候補が対応して示されており、
前記制御手段は、前記切替手段により操作感が前記第２の操作感に切り替えられている場合の前記目盛りの間隔を、前記切替手段により操作感が前記第１の操作感に切り替えられている場合の前記目盛りの間隔よりも広くするように制御することを特徴とする請求項１１に記載の電子機器。
【請求項１３】
前記第１の操作感の場合に、前記所定の操作部材への前記第３の量の操作がされるとクリック感が発生し、前記第４の量は、前記第１の操作感の場合に、前記所定の操作部材への操作に応じてクリック感の発生する操作量よりも多い量であることを特徴とする請求項１１または１２に記載の電子機器。
【請求項１４】
撮像手段をさらに有し、前記第１の機能は前記撮像手段による撮像に関する機能であることを特徴とする請求項１乃至１３の何れか１項に記載の電子機器。
【請求項１５】
前記第１の機能は、設定値候補が３０個を超えており、前記第２の機能は、設定値候補が３０個より少ないことを特徴とする請求項１乃至１４の何れか１項に記載の電子機器。
【請求項１６】
前記所定の操作部材は、回転部材であることを特徴とする請求項１乃至１５の何れか１項に記載の電子機器。
【請求項１７】
前記回転部材の回転角度が所定の角度になったことに応じて、前記回転部材の操作量の情報を取得する取得手段をさらに有する請求項１６に記載の電子機器。
【請求項１８】
前記回転部材は、レンズ周りに設けられる回転部材であることを特徴とする請求項１６または１７に記載の表示制御装置。
【請求項１９】
所定の操作部材への操作に応じて設定値が変更される機能として、第１の機能と、設定可能な設定値候補が前記第１の機能よりも多い第２の機能と、を含む複数の機能からいずれかの機能を設定可能な設定ステップと、
前記第１の機能に設定されている場合には、前記所定の操作部材が第１の量、操作されたことに応じて前記第１の機能の設定値を変更し、前記第２の機能に設定されている場合には、前記所定の操作部材が前記第１の量よりも多い第２の量、操作されたことに応じて前記第２の機能の設定値を変更し、前記第２の量よりも少ない操作がされても前記第２の機能の設定値を変更しないように制御する制御ステップとを有することを特徴とする電子機器の制御方法。
【請求項２０】
所定の操作部材に操作感を切り替える切替ステップであって、前記所定の操作部材への所定の操作量毎にクリック感のある第１の操作感と、クリック感のない第２の操作感とから操作感を切り替え可能な切替ステップと、
前記所定の操作部材への所定の操作に応じて、設定された第１の機能の設定値を変更するように制御する制御ステップであって、
前記切替ステップにおいて操作感が前記第１の操作感に切り替えられている場合には、前記所定の操作部材が第３の量、操作されたことに応じて前記第１の機能の設定値を変更し、前記第３の量よりも小さい量、操作されても前記第１の機能の設定値を変更せず、
前記切替ステップにおいて操作感が前記第２の操作感に切り替えられている場合には、前記所定の操作部材が前記第３の量よりも少ない第４の量、操作されたことに応じて前記第１の機能の設定値を変更するように制御する制御ステップとを有することを特徴とする電子機器の制御方法。
【請求項２１】
コンピュータを、請求項１乃至１８のいずれか１項に記載された表示制御装置の各手段として機能させるためのプログラム。
【請求項２２】
コンピュータを、請求項１乃至１８のいずれか１項に記載された表示制御装置の各手段として機能させるためのプログラムを格納したコンピュータが読み取り可能な記録媒体。
【発明の詳細な説明】
【技術分野】
【０００１】
本発明は、電子機器およびその制御方法に関し、特に操作部材への操作に応じて設定された機能の設定値を変更する際の制御技術に関する。
【背景技術】
【０００２】
操作部材には、操作感のある操作部材と操作感のより少ない操作部材とがある。操作感のある操作部材では、所定量操作する毎に回転が一時的に停止し、操作音の発生や、感触をユーザに返すことで、ユーザは所定量操作したことを認識することができる。一方で、操作感のない操作部材では、操作音や感触を少なくして円滑な操作感をユーザに与えることができる。特許文献１にはクリック感のある回転部材と、クリック感のない回転部材とがあり、それぞれユーザが割り当てる機能を選択でき、それぞれ操作がされると割り当てられた機能が実行されることが記載されている。
【先行技術文献】
【特許文献】
【０００３】
【特許文献１】特開２０１５−１２６４１８号公報
【発明の概要】
【発明が解決しようとする課題】
【０００４】
細かい単位で微調整が可能な設定項目（例えばスムーズズーム）と、ある程度大まかな設定しかない設定項目（例えばステップズーム）とがある。前者は設定値の候補が多く、後者は前者と比べると設定値の候補が少ない。特許文献１の方法では、割り当てられた機能において設定可能な設定値の数が多くても少なくても回転部材への操作があったと判定された場合には設定値の変更を行うので、設定値の数が多い場合にはその分必要が操作量も増える。また、回転部材の操作感がクリック感のない場合においては、一時的に回転が止まらないので、クリック感のある場合よりもユーザが思ったよりも回転量が多くなってしまう可能性がある。特許文献１の方法では、回転部材の操作感がクリック感のあるものでもないものでも、回転部材への操作があったと判定された場合には設定値の変更を行うので、クリック感がない場合にはユーザが意図したよりも多く設定値が変更されてしまう可能性がある。
【０００５】
本発明は、上記の課題の少なくとも１つを解決し、操作部材への操作で割り当てられた設定項目の設定値を変更する場合に、ユーザが所望の設定値へ操作性良く設定変更できるようにすることを目的とする。
【課題を解決するための手段】
【０００６】
上記目的を達成するために、本発明の電子機器は、所定の操作部材への操作に応じて設定値が変更される機能として、第１の機能と、設定可能な設定値候補が前記第１の機能よりも多い第２の機能と、を含む複数の機能からいずれかの機能を設定可能な設定手段と、前記第１の機能に設定されている場合には、前記所定の操作部材が第１の量、操作されたことに応じて前記第１の機能の設定値を変更し、前記第２の機能に設定されている場合には、前記所定の操作部材が前記第１の量よりも多い第２の量、操作されたことに応じて前記第２の機能の設定値を変更し、前記第２の量よりも少ない操作がされても前記第２の機能の設定値を変更しないように制御する制御手段とを有することを特徴とする。
【発明の効果】
【０００７】
本発明によれば、操作部材への操作で割り当てられた設定項目の設定値を変更する場合に、ユーザが所望の設定値へ操作性良く設定変更できる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】操作部材に関する設定処理を示すフローチャート
【図４】本実施形態における表示例を示す図
【発明を実施するための形態】
【０００９】
以下、図面を参照して本発明の好適な実施形態を説明する。
【００１０】
図１は本実施形態の電子機器の一例としてのデジタルカメラ１００の外観図であり、図１（ａ）は背面（表示部側）から見た図、図１（ｂ）は正面（レンズ側）から見た図を示している。
【００１１】
図１において、表示部２８は画像や各種情報を表示する表示部である。シャッターボタン６１は撮影指示を行うための（押下されると第１段階で撮影指示を受付け、第２段階で撮影を実行する）操作部である。モード切替スイッチ６０は各種モードを切り替えるための操作部である。操作部７０はユーザからの各種操作を受け付ける各種スイッチ、ボタン、タッチパネル、回転部材等の操作部材より成る操作部である。コントローラホイール７３は操作部７０に含まれる回転操作可能な操作部材である。電源スイッチ７２は、電源オン、電源オフを切り替えるための押しボタンである。図１（ｂ）に示すリング７８はレンズ部８０の周囲（レンズ周りに沿っている）にある回転部材であり、光学的なズームの操作をする時のような操作感で操作を行うことのできる操作部材である。リング７８は、デジタルカメラ１００の右手親指でシャッターボタン６１をおさえ、左手でレンズ部８０を保持した状態でも回転できるので、操作をするために構えた状態からユーザが体勢を変える必要がない。また、リング７８の横に配設される切替部材７９は、リング７８の操作感をクリックまたはスムーズに切り替えるための部材である。操作感がクリックに切り替えられた場合には、リング７８を所定量回転する毎にリング７８内の部材同士が当たり、クリック感（感触）と音を出すようにする。そして所定量回転する毎に一時的に回転が停止し、これによりクリック感のある操作感となる。操作感をクリックにした場合には、リング７８の回転が一時的に停止する回転角度毎（回転角毎、所定の操作量毎）に設定値を変更するようにするとユーザは回転角度を厳密に合わせずに大まかな回転操作でも回転が一時的に止まるので設定値の変更がしやすい。
【００１２】
操作感がスムーズに切り替えられた場合には、リング７８を回転したときのクリック感を小さくし、さらに操作に応じた音も小さくなるようにする。切替部材７９は、リング７８の回転方向に沿ってつまみを動かすことで、リング７８の操作感を切り替え可能である。切替部材７９を回転すると、物理的にリング７８の回転に応じてクリック感がでる、またはでないように部材を配置する。リング７８は、回転に応じてパルス信号を発生するダイヤル操作部材であってもよいし、回転に応じて、回転された角度や回転数を検出できるものであればよい。システム制御部５０は、リング７８の操作感がクリックに切り替えられているか、スムーズに切り替えられているかの情報を取得することができる。また、システム制御部５０は、リング７８の回転がどのくらいされたのかの情報も取得することができる。
【００１３】
記録媒体２００はメモリカードやハードディスク等の不揮発性の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。
【００１４】
マイク７７はレンズ部８０及びリング７８の近くのデジタルカメラ１００の上面に配置されている。マイク７７は動画の記録が開始されたのと同時に音声の記録を開始し、記録媒体２００には動画像と共に音声が記録される。スピーカー７５は、記録された音声を再生、発音する。
【００１５】
図２は、本実施形態の電子機器の一例としてのデジタルカメラ１００の構成例を示すブロック図である。
【００１６】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２０】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２１】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。
【００２３】
モード切替スイッチ６０、シャッターボタン６１、操作部７０はシステム制御部５０に各種の動作指示を入力するための操作手段である。
【００２４】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、Ａｖモード、Ｔｖモード、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２５】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２による静止画撮像動作、撮像部２２からの信号読み出しから記録媒体２００に画像データを書き込むまでの一連の撮影処理の動作を開始する。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２８】
コントローラホイール７３は、操作部７０に含まれる回転操作可能な操作部材であり、方向ボタンと共に選択項目を指示する際などに使用される。
【００２９】
電源制御部７４は、電池検出回路、ＤＣ−ＤＣコンバータ、通電するブロックを切り替えるスイッチ回路等により構成され、電池の装着の有無、電池の種類、電池残量の検出を行う。また、電源制御部７４は、その検出結果及びシステム制御部５０の指示に基づいてＤＣ−ＤＣコンバータを制御し、必要な電圧を必要な期間、記録媒体２００を含む各部へ供給する。
【００３０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。
【００３１】
リング７８には、ユーザが機能を割り当てることができる。リング７８を回転する操作によって、ユーザの割り当てた機能の項目の設定値が変更される（変更可能）。リング７８に割り当て可能な機能としては、ＩＳＯ感度、ＭＦ（マニュアルフォーカス）、ＷＢ補正（ホワイトバランス補正）、ステップズーム、シームレスズーム等の機能がある。また、特定の機能を割り当てずに、ＴｖモードであればＴｖ、ＡｖモードであればＡｖといったように、モードに応じて適した機能が割当たる自動設定にもすることができる。シームレスズームは、ステップズームよりも微妙な画角調整が可能なズーム機能である。ステップズームでは例えば２８ｍｍ、３５ｍｍ、５０ｍｍといった間隔毎にズームを調整可能であるが、シームレスズームでは１ｍｍ毎にも調整をすることができる。ユーザは、ステップズームである程度大まかに画角を調整した後に、シームレスズームで微調整をすると素早く所望の画角に設定することができる。
【００３２】
また、ＩＳＯ感度やＷＢ補正等（ＭＦとは異なる項目）は、予め段階的に（露出に関する設定が段刻みで変わる）決まっている複数の設定値候補から設定値を選択する。設定値の選択方法としては、例えば予め目盛り毎に段階的に定められている設定値が振られており、目盛りを１つ１つ移動することで設定値を変更する。設定値の例としては、ＩＳＯ感度であれば、２００、２５０、３２０、４００等があり、ＷＢ補正であればプラスマイナス１、２、３となっている。一方で、ＭＦは微調整をするときに使用され、設定値候補のうちある程度の間隔毎に設定値を変更するのではなく、レンズ周りの回転で物理的にレンズ位置の移動をして合焦位置の調整をするように、細かく設定値を変更（設定可能な設定値が多い）する。リング７８の回転に応じて設定値を変更する場合、リング７８の機能にＭＦ以外のＩＳＯ感度やＷＢ補正が割当たっている場合は、所定量の回転がされる毎に、露出に関する設定値が段刻みで次の設定値へと変更される。ＭＦが割当たっている場合は、所定量の回転がされる毎に、フォーカス位置を所定量ずつ（設定値の変化量は小さい）変更していく。このように、リング７８に割当たる機能には、設定可能な設定値の数が少ない項目の機能（所定数以上の設定値候補）と、従来のマニュアル操作に近く設定可能な設定値の数が少ない項目の機能（所定数未満の設定値候補）とがある。
【００３３】
ステップズームと、スムーズズームでは設定可能な設定値（ズーム倍率）の数は異なり、例えばステップズームでは１０段階で、スムーズズームでは４０段階の設定値がある。撮像倍率が所定の倍率のときに、一定量（１クリック分）の操作がされると、ステップズームの場合はスムーズズームの場合よりも撮像倍率の変化が大きい。また、例えば、１倍から１０倍に変更する場合、ステップズームとスムーズズームでは設定変更までに必要なリング７８の回転角度が異なる。操作感がクリックの場合には、例えば、ステップズームであれば一時的に回転が停止する所定量の回転（カチと音が発生する位置までの回転）を３回行えばよいが、スムーズズームの場合には１０回や２０回といった回数に対応する回転が必要となる。操作感がスムーズの場合にも同様で、ステップズームの場合にはスムーズズームの場合よりも必要な回転角度が小さくてすむ。
【００３４】
また、ＩＳＯ感度とＷＢ補正等の項目では設定可能な設定値の数は２０や３０といった限られた数であり、スムーズズームとＭＦ等の項目を比較しても設定可能な設定値の数は、４０や５０といったＩＳＯ感度やＷＢ補正の設定値よりも多い数である。ユーザが１回の操作で回転可能なリング７８の角度は限られているので、設定値が多くなるとその分必要な回転角度も大きくなる。また、１回の回転操作で所望の設定値まで設定出来なかった場合には、もう一度回転操作をしなければならない。一方で、露出に関する設定が段刻みで変化するような場合などある程度限られた数の設定値の場合には、１回の操作で大きく設定値が変化するので少し回転操作をすれば素早く所望の設定値に設定できる可能性が高い。
【００３５】
次に図３を用いて、本実施形態における回転部材に関する処理について説明する。この処理は、不揮発性メモリ５６に記録されたプログラムをシステムメモリ５２に展開してシステム制御部５０が実行することで実現する。なお、この処理は、デジタルカメラ１００に電源が入り、リング７８への操作が可能になる（リング７８の回転の検知が可能になる）と開始する。
【００３６】
Ｓ３０１では、システム制御部５０は、現在の撮影モードとリング７８に割り当てられた機能とを取得する。本実施形態においては、現在の撮影モードが動画モードである場合には、ＭＦとシームレスズームの設定項目の機能しか設定変更できないものとする。また、撮影モード毎にリング７８に割当たる機能が異なる自動設定の場合には現在のモードに応じて、リング７８に割り当てる機能を変える。
【００３７】
Ｓ３０２では、システム制御部５０は、リング７８が設定値を変更するまでの量、回転されたか否かを判定するためのパルスの通知回数Ｎ＝０に設定し、システムメモリ５２に記録する。パルスの通知回数Ｎが所定回数に到達すると、リング７８に割当たっている機能の設定値が変更される。
【００３８】
Ｓ３０３では、システム制御部５０は、リング７８が所定の角度回転した毎に通知される１パルスが通知されたか否かを判定する。所定の角度とは例えば、２度や３度といった角度である。１パルスが通知されたと判定した場合は、Ｓ３０４へ進み、そうでない場合は、Ｓ３１４へ進む。
【００３９】
Ｓ３０４では、システム制御部５０は、リング７８の操作感が現在スムーズになっているか否かを判定する。スムーズになっていると判定した場合は、Ｓ３０５へ進み、そうでない場合（クリック）は、Ｓ３１１へ進む。
【００４０】
Ｓ３０５〜Ｓ３１０の処理は、リング７８の操作感がスムーズに設定されている場合の処理である。
【００４１】
Ｓ３０５では、システム制御部５０は、リング７８に割当たっている機能がＭＦまたはスムーズズームのいずれかであるか、もしくはいずれでもないかを判定する。リング７８に割当たっている機能がＭＦまたはスムーズズームのいずれかであると判定した場合は、Ｓ３０６へ進み、そうでない場合（ＩＳＯ感度、ＷＢ補正、ステップズーム）は、Ｓ３０７へ進む。
【００４２】
Ｓ３０６では、システム制御部５０は、現在設定されているＭＦまたはスムーズズームの設定値を所定量変更する。ＭＦが割り当てられている場合には合焦位置を移動し、スムーズズームが割り当てられている場合には撮像倍率を変更する。詳しくは、合焦位置であれば、１０ｃｍや２０ｃｍといった距離ずつ、合焦位置が遠い場合には１ｍといった距離ずつ合焦位置を移動する。スムーズズームであれば、倍率が０．２倍ずつ増加または減少するように撮像倍率を変更する。このようにリング７８の操作感がスムーズで、ＭＦまたはスムーズズームの機能がリング７８に割当たっている時には１パルス分の回転量で設定値が変更するようにする。つまり、操作感がスムーズになっている場合には、クリックの場合よりも少ない回転量で所定量の設定値の変更ができる。
【００４３】
Ｓ３０７では、システム制御部５０は、パルスの通知回数Ｎが４以上であるか否かを判定する。パルスの通知回数Ｎが４以上であると判定された場合は、Ｓ３０８へ進み、そうでない（Ｎ＝１、２、３）場合は、Ｓ３１０へ進む。なお、Ｓ３０７においてはＮ＝２であるか否かを判定してもよい。
【００４４】
Ｓ３０８では、システム制御部５０は、１目盛り分設定値を変更する。すなわち、リング７８に割り当てられているＩＳＯ感度、ＷＢ補正などの段刻みの設定値のうち次の設定値候補や、大まかに倍率を変更していくためのステップズームの次の段階の倍率へと設定値を変更する。ＭＦやスムーズズーム以外の機能がリング７８に割当たっている場合には、パルスの通知回数Ｎ＝１では設定値は変更されず、Ｎ＝４にならないと設定値の変更がされない。なお、Ｓ３０７においてＮ＝２であるか否かを判定した場合には、操作感がクリックになっている場合に回転が一時的に停止する回転角毎に設定値が変更されることになる。操作感がクリックになっている場合には、Ｎ＝２になると操作音の発生、及びユーザへの操作感のフィードバック（クリック感）がある。つまり、リング７８を回転してカチといったところで設定値が変更される。操作感がスムーズの場合には操作音やクリック感はないが、クリックのときの操作感に慣れているユーザにとっては、どのくらい操作をすれば設定値が変更されるのか感覚的に把握しやすい。
【００４５】
Ｓ３０９では、システム制御部５０は、パルスの通知回数Ｎ＝０に設定し、システムメモリ５２に記録する。連続的に回転操作がされる場合であってもＮ＝４となる度にＳ３０９においてＮ＝０に設定しなおされ、再びＮ＝４になると設定値が変更される。
【００４６】
Ｓ３１０では、システム制御部５０は、パルスの通知回数Ｎ＝Ｎ＋１とする。つまり、Ｎ＝１にパルスの通知回数を増やしてシステムメモリ５２に記録する。
【００４７】
Ｓ３１１〜Ｓ３１４の処理は、リング７８の操作感がクリックにされている場合の処理である。操作感がクリックに設定されている場合には、割り当てられている機能に関わらず、パルスの通知回数Ｎ＝２すなわち、リング７８を回転してカチと操作音が発生する、操作感のフィードバックがユーザに返されるまでは設定値の変更はされない。
【００４８】
Ｓ３１１では、システム制御部５０は、パルスの通知回数Ｎが２以上になっているか否かを判定する。パルスの通知回数Ｎが２以上になっていると判定した場合は、Ｓ３１２へ進み、そうでない場合は、Ｓ３１３へ進む。
【００４９】
Ｓ３１２では、システム制御部５０は、現在割り当てられている機能の設定値を変更する。設定値の変更については、Ｓ３０６またはＳ３０８のときと同様である。ＭＦやスムーズズームが割当たっている場合には、リングの操作感がクリックか、スムーズかによって同じ量の設定値を変更するにも操作量が異なってくる。すなわち、リング７８の操作感がスムーズになっている場合には、クリックになっている場合よりもより小さい回転量で設定値の変更をすることができる。ユーザはわずかな回転量であっても設定値が変更されるので、よりスムーズな操作感で設定値の変更をすることができる。
【００５０】
また、Ｓ３１２とＳ３０８より本実施形態では、ＩＳＯ感度等の項目の設定値を変更する時にリング７８の操作感によって、設定値の変更に必要な回転角を変えている。Ｓ３１２においても、Ｓ３０８においてもＩＳＯ感度、ＷＢ補正、ステップズームの中から機能が割当たっている場合には、設定値を１目盛り分変更する。操作感がスムーズであればパルスの通知回数Ｎ＝４になったら設定値を１目盛り分変更し、操作感がクリックであればパルスの通知回数Ｎ＝２で設定値を１目盛り分変更する。操作感がスムーズの場合にはクリックの場合とは異なり、所定回転角度毎に一時的に回転が止まる位置があるわけではないので、クリックのときと同じように回転操作をすると回転しすぎてしまうことがある。よって、ユーザが思った以上にリング７８が回転してしまい、所望の設定値よりもずれてしまう可能性があるが、設定値が変更されるまで（目盛りの示す設定値が変わるまで）の回転量を大きくすることで所望の設定値へと設定がしやすくなる。これは、設定値変更までに必要な回転量を増やすと、ユーザにとって所定量分の回転をする際に微妙な調整がしやすくなるためである。図４には、ＩＳＯ感度の操作感ごとの目盛り（一定間隔毎に表示される）の表示例を示す。図４（ａ）は操作感がクリックのときの表示例であり、図４（ｂ）は操作感がスムーズのときの表示例である。操作感によって設定値が変更されるまでの操作量を変更するので、表示部２８に表示する目盛りの幅も操作感によって変えるとユーザにとってわかりやすい。図４（ｂ）の示す操作感がスムーズのときの目盛り幅は、図４（ａ）の操作感がクリックのときの目盛り幅よりも広くなっており、ユーザは目盛りを見ながらより慎重に設定値変更の操作を行うことができる。
【００５１】
Ｓ３１３の処理は、Ｓ３１０の処理と同様の処理である。
【００５２】
Ｓ３１４では、システム制御部５０は、パルスの通知回数Ｎ＝１になってから所定時間が経過したか否かを判定する。所定時間とは１秒や２秒といった値であり、１パルス分操作をした後２パルス目の操作を行わずに所定時間経過した場合にはユーザが途中で設定値の変更を中断しようとした可能性が高い。よって、Ｎ＝１になってから所定時間が経過したと判定した場合は、Ｓ３１５へ進み、そうでない場合は、Ｓ３０３においてＮ＝２になるのを待つ。
【００５３】
Ｓ３１５では、システム制御部５０は、パルスの通知回数Ｎ＝０にしてシステムメモリ５２に記録する。Ｓ３１４においてＮ＝１になってから所定時間が経過したと判定されたので、パルスの通知回数Ｎ＝０にして次にＳ３０３において１パルスが通知されても処理が行われないようにする。また、操作感がクリックの場合には、２パルス分の回転角度毎にリング７８が止まるようになっているので、リング７８の止まるところを設定値変更の開始位置にするため、次に１パルスの通知がされても、その通知を無視する。
【００５４】
Ｓ３１６では、システム制御部５０は、回転部材に関する処理を終了するか否かを判定する。回転部材に関する処理の終了とは、電源のＯＦＦや再生モード等への切り替えである。なお、図３の処理は、リング７８に割当たっている機能がＩＳＯ感度、ＷＢ補正、ステップズーム等の動画記録中に設定変更不可能な機能である場合に、動画撮影が始まった場合には一時的に処理を行わないようにする。
【００５５】
以上、説明した実施形態によれば、リングの操作感がスムーズである場合に、リングに割当たっている機能（設定可能な設定値の数が多いか少ないか）によって、設定値が変更されるまでの操作量を変えるので操作感が向上する。つまり、スムーズズームやＭＦなど設定可能な設定値の数が多い場合には、少ない操作量で素早く設定値を変更することができる。スムーズズームやＭＦの場合には、回転操作に応じて少しずつ設定値を変更していくものであり、４（２）パルスで設定値が変更されるよりも１パルスで設定値が変更された方が、スムーズに設定値を変更できる。ＩＳＯ感度、ＷＢ補正等は、段刻みで設定値が変更されるものであり、１パルスで設定値が変更されてしまうと、わずかな操作で大幅に設定値が変更されてしまうことになる。よって、より確実に設定値の変更ができるよう、４（２）パルス通知されたら設定値を変更する。
【００５６】
また、リング７８に割当たっている機能がスムーズズームやＭＦなどの機能である場合には、操作感がスムーズのときの方が、操作感がクリックのときよりも少ない操作量で同じ量の設定値の変更をすることができる。操作感がクリックの場合には、カチと操作音が発生し、回転が一時的に止まる位置に到達する毎に設定値が変わった方がユーザにとって分かりやすく、調整もしやすい。一方で操作感がスムーズの場合には、クリックの時のような回転が一時的に止まる位置がなく操作音も小さく、より素早く少ない操作で設定値の変更ができる。
【００５７】
さらに、リング７８に露出に関する設定値が段刻みで変更される設定値の項目の機能が割当たっている場合に、リングの操作感がスムーズかクリックかによって、設定値が変更されるまでの操作量を変えるので操作感が向上する。段刻みや大まかに設定変更される設定項目の設定値を回転操作によって変更する場合には、所定回転角毎に設定値が変わる。つまり、操作感がクリックであり、ユーザがある程度大まかに力をかけて回転操作をしたとしても一時的に回転が止まるような場合には、カチと回転が止まるところで、設定値が変更された方が操作性がよい。一方で、ユーザが正確な回転角度リングを回転しなければならない場合に、操作感がスムーズだと、設定値が変更されるまでに必要な操作量が小さいと細かな調整がしにくく、回転しすぎてしまう可能性がある。そこで、上述したように操作感がスムーズの場合には、４パルスで設定値を変更するようにすることで、ユーザはより正確に必要な操作量を操作しやすくなり、設定値の変更がしやすくなる。
【００５８】
なお、スムーズリングの時には設定値の変更に必要な回転角（パルスの倍数分の量）、正確に回転がされなくても、一定の幅の中に回転角が入っていれば設定値を変更するようにしてもよい。
【００５９】
なお、上述した機能のほかにシャッター速度、絞り、露出補正の設定値をリング７８の回転操作に応じて変更する場合には、以下のようにする。シャッター速度と露出補正が設定されている場合には、パルスの通知回数Ｎ＝４（または２）で設定変更し、絞りが設定されている場合には、Ｎ＝１で設定変更する。シャッター速度や露出補正は、設定可能な数が絞りに比べると多く、絞りはユーザにとってアナログ的に変更される値であり設定可能な数は多い。
【００６０】
また、上述した実施形態では操作感がスムーズの場合に、ＭＦまたはスムーズズームの場合と、それ以外の場合とで設定値の変更に必要な回転量を変えることを説明したが、操作感がクリックの時に行ってもよい。クリックの場合でもＭＦまたはスムーズズームの時に、より少ない操作量で設定変更が可能になるので、ユーザの操作性は向上する。
【００６１】
なお、上述したパルスの通知回数Ｎは、一例であり、操作感がクリックのときに一時的に回転が停止するまでの回転量もパルスの通知回数Ｎ＝４となる回転角度でなくてもＮ＝２、５等でもよい。また、設定値を変更するまでのパルスの通知回数Ｎは上述した回数でなくてもよい。ただし、設定値の変更までに必要な回転角度の関係は、変わらないようにする。すなわち、操作感がクリックのときは割当たっている機能に関わらずパルスの通知回数Ｎ＝αになる毎に設定値を変更する。また、操作感がスムーズのときは段刻みで所定数未満の設定値がある項目の機能が割当たっていればＮ＝β、所定数以上の設定値がある項目の機能が割当たっていればＮ＝γ（＜β）で設定値を変更する。なお、αとβは同じ値となってもよいし、異なる値でもよいが、γ＜αであった方がよい。
【００６２】
なお、割り当てられた機能に応じて設定値変更までの操作量を変える制御を行う場合には、リング７８の操作感を切り替えることができなくても、操作感がスムーズであればよい。
【００６３】
上述の実施形態で説明をしたリング７８は回転部材であったが、本実施形態は、レバーやスライダーバー等のユーザが少しずつ操作を行って設定値を変更するような操作部材でも適用可能である。
【００６４】
また、本実施形態では設定値候補が所定数未満の項目としては、メニュー等において並んで表示される複数の候補から何れかを選択するような場合や、表示中の全対象のうち、大まかに区別された対象から設定可能な場合等にも適用可能である。所定数以上の設定値のある項目として、スムーズズーム、ＭＦを説明したが、時刻設定や、日付設定、表示中の対象にカーソルが表示されておりカーソルを移動することで、カーソル位置を設定できるような場合にも適用可能である。
【００６５】
なお、システム制御部５０が行うものとして説明した上述の各種の制御は１つのハードウェアが行ってもよいし、複数のハードウェアが処理を分担することで、装置全体の制御を行ってもよい。
【００６６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６７】
また、上述した実施形態においては、本発明をデジタルカメラ１００に適用した場合を例にして説明したが、これはこの例に限定されない。上述した実施形態は、操作部材への操作に応じて設定値を変更する機能を、設定可能な設定値候補が所定数以上の項目の機能と、所定数未満の項目の機能とから設定可能な装置を制御可能な電子機器であれば適用可能である。また、ユーザがクリック感のある操作感と、クリック感のない操作感とを切り替え可能な装置を制御可能な電子機器であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、家電装置、ＩＣレコーダ等に適用可能である。また、操作感を切り替え可能なデジタルカメラ等での撮影を有線または無線通信を介して制御可能なスマートフォンやタブレットＰＣ、デスクトップＰＣなどの装置にも適用可能である。
【００６８】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018056827.tif 000003
【図２】
2018056827.tif 000004
【図３】
2018056827.tif 000005
【図４】
2018056827.tif 000006